(57)【特許請求の範囲】
【請求項１】
モバイル端末によって、ワイヤレスローカルエリアネットワークアクセス要求をネットワークサーバへ送信するステップと、
前記モバイル端末によって、前記ネットワークサーバからWEB認証ページデータを受信するステップであって、前記モバイル端末は、前記モバイル端末が前記WEB認証ページデータを受信しても、WEB認証ページをユーザに表示する必要がない、ステップと、
前記モバイル端末によって、アクセスアカウントおよびアクセスパスワードを自動的に入手するステップと、
前記モバイル端末によって、WEB認証要求を前記ネットワークサーバへ自動的に送信するステップであって、前記WEB認証要求が、前記アクセスアカウントおよび前記アクセスパスワードを搬送する、ステップと
を含むワイヤレスローカルエリアネットワーク認証方法。
【請求項２】
前記アクセスパスワードが有効である時間期間が制限されていない静的認証方式が採用されている場合には、
前記モバイル端末によって、前記モバイル端末内に格納されている前記アクセスアカウントおよび前記アクセスパスワードを自動的に入手するステップをさらに含む、請求項1に記載の方法。
【請求項３】
前記アクセスパスワードが有効である時間期間が制限されている動的認証方式が採用されている場合には、
前記モバイル端末によって、前記モバイル端末内に格納されているローカル電話番号を自動的に入手し、前記ローカル電話番号を搬送する動的パスワード要求を前記ネットワークサーバへ送信し、動的パスワードを搬送するショートメッセージを前記ネットワークサーバから受信するステップをさらに含む、請求項1に記載の方法。
【請求項４】
モバイル端末によって、アクセスアカウントおよびアクセスパスワードを自動的に入手する前記ステップが、
前記モバイル端末によって、前記モバイル端末内に格納されている前記ローカル電話番号を入手して、前記ローカル電話番号を前記アクセスアカウントとして使用するステップと、
前記モバイル端末によって、前記ショートメッセージ内に含めて搬送されている前記動的パスワードを入手して、前記動的パスワードを前記アクセスパスワードとして使用するステップとを含む、請求項3に記載の方法。
【請求項５】
前記ショートメッセージが動的アカウントをさらに搬送している場合には、モバイル端末によって、アクセスアカウントおよびアクセスパスワードを自動的に入手する前記ステップが、
前記モバイル端末によって、前記ショートメッセージ内に含めて搬送されている前記動的アカウントを入手して、前記動的アカウントを前記アクセスアカウントとして使用するステップと、
前記モバイル端末によって、前記ショートメッセージ内に含めて搬送されている前記動的パスワードを入手して、前記動的パスワードを前記アクセスパスワードとして使用するステップとを含む、請求項3に記載の方法。
【請求項６】
前記モバイル端末が、送信番号またはテキストコンテンツを照合する方式で前記ショートメッセージを特定し、前記モバイル端末が、キーワードを照合する方式で前記ショートメッセージから動的アカウントまたは動的パスワードを入手する、請求項4または5に記載の方法。
【請求項７】
アカウント/パスワード入手装置、WEB認証要求開始装置、および入力/出力装置
を含むモバイル端末であって、
前記入力/出力装置が、ワイヤレスローカルエリアネットワークアクセス要求をネットワークサーバへ送信し、かつ、前記ネットワークサーバからWEB認証ページデータを受信するように構成されており、前記入力/出力装置は、前記モバイル端末が前記WEB認証ページデータを受信しても、WEB認証ページをユーザに表示する必要がなく、
前記アカウント/パスワード入手装置が、アクセスアカウントおよびアクセスパスワードを自動的に入手して、前記アクセスアカウントおよび前記アクセスパスワードを前記WEB認証要求開始装置へ送信するように構成されており、
前記WEB認証要求開始装置が、前記アクセスアカウントおよび前記アクセスパスワードを搬送するWEB認証要求を生成して、前記WEB認証要求を前記入力/出力装置へ送信するように構成されており、
前記入力/出力装置が、更に、前記WEB認証要求を前記ネットワークサーバへ送信するように構成されている、モバイル端末。
【請求項８】
前記アカウント/パスワード入手装置および前記入力/出力装置に別々に接続されているメモリであって、前記アクセスアカウント、前記アクセスパスワード、またはローカル電話番号を格納するように構成されており、それによって、前記アカウント/パスワード入手装置が、前記アクセスアカウントおよび前記アクセスパスワードを自動的に入手することができる、メモリ
をさらに含む、請求項7に記載のモバイル端末。
【請求項９】
前記アカウント/パスワード入手装置が、
第1のリーダおよび第1の送信機を含み、
前記第1のリーダが、前記メモリ内に格納されている前記アクセスアカウントおよび前記アクセスパスワードを入手して、それらを前記第1の送信機へ送信するように構成されており、
前記第1の送信機が、前記第1のリーダから受信される前記アクセスアカウントおよび前記アクセスパスワードを前記WEB認証要求開始装置へ送信するように構成されている、請求項8に記載のモバイル端末。
【請求項１０】
前記アカウント/パスワード入手装置が、
第2のリーダ、動的パスワードリクエスタ、ショートメッセージデタミナ、および第2の送信機を含み、
前記第2のリーダが、前記メモリ内に格納されている前記ローカル電話番号を入手し、前記ショートメッセージデタミナによって特定される、動的パスワードを搬送しているショートメッセージから前記動的パスワードを入手して、前記動的パスワードを前記アクセスパスワードとして使用し、前記入手されたローカル電話番号を前記アクセスアカウントとして使用すること、および、前記ショートメッセージが動的アカウントをさらに搬送している場合には、前記動的パスワードを入手して、前記動的パスワードを前記アクセスパスワードとして使用し、前記動的アカウントを入手して、前記動的アカウントを前記アクセスアカウントとして使用することを行うように構成されており、
前記動的パスワードリクエスタが、前記第2のリーダから前記ローカル電話番号を入手して、前記ローカル電話番号を搬送する動的パスワード要求を、前記入力/出力装置を使用することによって前記ネットワークサーバへ送信するように構成されており、
前記ショートメッセージデタミナが、前記動的パスワードを搬送している前記ショートメッセージを、前記入力/出力装置を使用することによって特定して、前記ショートメッセージを前記第2のリーダへ送信するように構成されており、
前記第2の送信機が、前記第2のリーダから前記アクセスアカウントおよび前記アクセスパスワードを入手して、前記アクセスアカウントおよび前記アクセスパスワードを前記WEB認証要求開始装置へ送信するように構成されている、請求項8または9に記載のモバイル端末。
【発明の詳細な説明】
【技術分野】
【０００１】
本発明は、通信テクノロジーの分野に関し、詳細には、ワイヤレスローカルエリアネットワーク認証方法およびモバイル端末に関する。
【背景技術】
【０００２】
モバイルデータサービスの発展に伴って、ワイヤレスローカルエリアネットワーク(Wireless Local Area Networks; WLAN)テクノロジーが、広く使用されるワイヤレスアクセステクノロジーになっており、さまざまな主要な電気通信事業者は、拡張すべきキーとなるサービスとしてワイヤレスローカルエリアネットワークを挙げている。既存のユーザを引き付けて課金を容易にするために、通信事業者はみな、WEB認証方式を導入している。すなわち、ユーザが通信事業者のワイヤレスローカルエリアネットワーク・ホットスポットにアクセスすると、ユーザはWEB認証ページへ導かれることになり、そのWEB認証ページ上でユーザがアカウントおよびパスワードを入力して、ネットワークサーバによって成功裏に認証が実行されると、ユーザは、通信事業者によって提供されるワイヤレスローカルエリアネットワークを使用することができる。
【０００３】
しかしながら、WEB認証は、ワイヤレスローカルエリアネットワークの使用に対して通信事業者によって実行される課金にとって有益であるが、ユーザは、ワイヤレスローカルエリアネットワークにアクセスするたびにWEB認証ページ上でアカウントおよびパスワードを入力する必要がある。ユーザにとって、そのような複雑な繰り返しのオペレーションは、無意味であり、多くの時間を浪費する。
【発明の概要】
【発明が解決しようとする課題】
【０００４】
本発明の実施形態は、ユーザが、ワイヤレスローカルエリアネットワークにアクセスするたびにWEB認証ページ上でアカウントおよびパスワードを入力する必要があるという問題を解決するために、ワイヤレスローカルエリアネットワーク認証方法およびモバイル端末を開示する。
【課題を解決するための手段】
【０００５】
本発明の一実施形態は、
モバイル端末によって、アクセスアカウントおよびアクセスパスワードを自動的に入手するステップと、
モバイル端末によって、WEB認証要求をネットワークサーバへ自動的に送信するステップであって、そのWEB認証要求が、アクセスアカウントおよびアクセスパスワードを搬送する、ステップとを含むワイヤレスローカルエリアネットワーク認証方法を開示する。
【０００６】
本発明の一実施形態は、
アカウント/パスワード入手装置、WEB認証要求開始装置、および入力/出力装置を含むモバイル端末であって、
アカウント/パスワード入手装置が、アクセスアカウントおよびアクセスパスワードを自動的に入手して、そのアクセスアカウントおよびアクセスパスワードをWEB認証要求開始装置へ送信するように構成されており、
WEB認証要求開始装置が、アクセスアカウントおよびアクセスパスワードを搬送するWEB認証要求を生成して、そのWEB認証要求を入力/出力装置へ送信するように構成されており、
入力/出力装置が、WEB認証要求をネットワークサーバへ送信するように構成されている、モバイル端末を開示する。
【発明の効果】
【０００７】
本発明の実施形態において開示されているワイヤレスローカルエリアネットワーク認証方法およびモバイル端末を適用することによって、モバイル端末は、ワイヤレスローカルエリアネットワークのWEB認証を自動的に完了することができ、ユーザがアカウントおよびパスワードを入力する必要はなく、WEB認証インターフェースがユーザに表示される必要もなく、それによって、複雑な繰り返しの認証オペレーションが回避され、ユーザ経験が改善される。
【図面の簡単な説明】
【０００８】
【図１】本発明の実施形態1によるワイヤレスローカルエリアネットワーク認証方法の概略フローチャートである。
【図２】本発明の実施形態2による別のワイヤレスローカルエリアネットワーク認証方法の概略フローチャートである。
【図３】本発明の実施形態3による別のワイヤレスローカルエリアネットワーク認証方法の概略フローチャートである。
【図４】本発明の実施形態4によるモバイル端末の概略構造図である。
【図５】本発明の実施形態5による別のモバイル端末の概略構造図である。
【図６】本発明の実施形態6による別のモバイル端末の概略構造図である。
【図７】本発明の実施形態7による別のモバイル端末の概略構造図である。
【図８】本発明の実施形態8による別のモバイル端末の概略構造図である。
【発明を実施するための形態】
【０００９】
本発明の目的、技術的なソリューション、および利点をより明確にするために、本発明の特定の実施形態について、添付の図面を参照しながら、以降で詳細に説明する。説明されている実施形態は、本発明の実施形態のうちのすべてではなく、一部であるということは明らかである。当技術分野における標準的な技術者によって、創造的な作業を伴うことなく、本発明の実施形態に基づいて得られるその他のすべての実施形態は、本発明の保護範囲内に収まるものとする。
【００１０】
はじめに、本発明の実施形態において説明されているモバイル端末は、モバイル電話またはタブレットコンピュータなど、ワイヤレスローカルエリアネットワークWLANにアクセスすることができる端末デバイスを含むが、それらには限定されないということに留意されたい。
【００１１】
方法実施形態
実施形態1
図1を参照すると、本発明の実施形態1が、ワイヤレスローカルエリアネットワーク認証方法を提供し、その方法は、下記のステップを含む。
【００１２】
ステップ11:  モバイル端末が、アクセスアカウントおよびアクセスパスワードを自動的に入手する。
【００１３】
アクセスアカウントおよびアクセスパスワードとは、ワイヤレスローカルエリアネットワークにアクセスするためにネットワークサーバによって実行される認証を完了するためにモバイル端末によって使用されるアカウントおよびパスワードである。具体的には、モバイル端末は、ユーザの設定に従って事前に通信事業者のワイヤレスローカルエリアネットワーク・ホットスポットを格納すること、たとえば、ワイヤレスローカルエリアネットワーク・ホットスポットのサービスセット識別子(Service Set Identifier, SSID)を「ChinaNet」として格納することが可能である。モバイル端末は、ワイヤレスローカルエリアネットワーク・ホットスポットへの接続を確立するためにアカウントおよびパスワードを必要とせず、したがってモバイル端末は、ワイヤレスローカルエリアネットワークにアクセスする必要がある場合には、はじめに、事前に設定されたワイヤレスローカルエリアネットワーク・ホットスポット「ChinaNet」への接続を自動的に確立し、次いで、ワイヤレスローカルエリアネットワークアクセス要求をネットワークサーバへ送信し、ネットワークサーバによって返されるWEB認証ページデータを受信するが、WEB認証ページをユーザに表示しない。次いで、モバイル端末は、ワイヤレスローカルエリアネットワークのアクセスアカウントおよびアクセスパスワードを自動的に入手する。モバイル端末がワイヤレスローカルエリアネットワークのアクセスアカウントおよびアクセスパスワードを自動的に入手する際に、ユーザは、いかなるオペレーションも実行する必要はない。
【００１４】
ステップ12:  モバイル端末は、WEB認証要求をネットワークサーバへ自動的に送信し、そのWEB認証要求は、アクセスアカウントおよびアクセスパスワードを搬送する。
【００１５】
モバイル端末は、WEB認証要求をネットワークサーバへ自動的に送信し、そのWEB認証要求は、ステップ11において自動的に入手されているアクセスアカウントおよびアクセスパスワードを搬送し、WEB認証要求は、ハイパーテキスト転送プロトコル(Hypertext Transfer Protocol, HTTP)などのデータプロトコルに基づくデータであることが可能である。ネットワークサーバは、アクセスアカウントおよびアクセスパスワードを認証する。アクセスアカウントおよびアクセスパスワードが正しい場合には、ネットワークサーバは、ネットワーク接続が成功している旨の認証結果をモバイル端末へ返し、アクセスアカウントおよびアクセスパスワードが正しくない場合には、ネットワークサーバは、ネットワーク接続が失敗している旨の認証結果をモバイル端末へ返す。このステップにおいては、ユーザがアカウントおよびパスワードを入力する必要はなく、モバイル端末がWEB認証インターフェースをユーザに表示する必要もなく、WEB認証インターフェースは、ネットワークサーバによって送信される。
【００１６】
この実施形態においては、モバイル端末が、アクセスアカウントおよびアクセスパスワードを自動的に入手し、それらのアクセスアカウントおよびアクセスパスワードを搬送するWEB認証要求をネットワークサーバへ自動的に送信する。この実施形態を適用することによって、モバイル端末は、ワイヤレスローカルエリアネットワークのWEB認証を自動的に完了することができ、ユーザがアカウントおよびパスワードを入力する必要はなく、WEB認証インターフェースがユーザに表示される必要もなく、それによって、複雑な繰り返しの認証オペレーションが回避され、ユーザ経験が改善される。
【００１７】
実施形態2
図2を参照すると、本発明の実施形態2が、別のワイヤレスローカルエリアネットワーク認証方法を提供し、その方法は、静的認証方式を採用しており、下記のステップを含む。
【００１８】
ステップ21:  モバイル端末が、アクセスアカウントおよびアクセスパスワードを格納する。
【００１９】
任意選択で、モバイル端末は、ワイヤレスローカルエリアネットワークアクセス認証を実行するために静的認証方式または動的認証方式を選択することができる。実施形態2においては、静的認証方式が選択されている。
【００２０】
モバイル端末は、はじめにユーザの入力に従ってアクセスアカウントおよびアクセスパスワードを格納し、また、ワイヤレスローカルエリアネットワーク・ホットスポットのSSIDを、たとえばユーザの入力に従って格納すること、ワイヤレスローカルエリアネットワーク・ホットスポットのSSIDを「ChinaNet」として格納すること、アクセスアカウントを「user」として格納すること、およびアクセスパスワードを「1234」として格納することも可能である。ここでは、アクセスアカウントおよびアクセスパスワードは、ユーザと通信事業者との間における交渉を通じて決定される。モバイル端末は、複数のSSIDと、それらの複数のSSIDに対応するアクセスアカウントおよびアクセスパスワードとを格納することができる。たとえば、モバイル端末は、中国電信および中国移動の両方のSSIDを格納することができる。中国電信および中国移動の両方のSSIDは、別々のアクセスアカウントおよびアクセスパスワードに対応しており、それによって、別のワイヤレスローカルエリアネットワーク・ホットスポットに接続される際に、モバイル端末は、そのワイヤレスローカルエリアネットワーク・ホットスポットのSSIDに対応するアクセスアカウントおよびアクセスパスワードを使用することによって認証を実行することができる。
【００２１】
ステップ22:  モバイル端末は、ワイヤレスローカルエリアネットワーク・ホットスポットへの接続を確立する。
【００２２】
現在、モバイル端末とワイヤレスローカルエリアネットワーク・ホットスポットは、オープンな方式で接続されており、したがってモバイル端末は、ステップ21において事前に格納されているSSIDに従ってワイヤレスローカルエリアネットワーク・ホットスポットへの接続を確立することができる。
【００２３】
ステップ23:  モバイル端末は、ワイヤレスローカルエリアネットワークアクセス要求をネットワークサーバへ送信する。
【００２４】
ネットワークサーバとは、モバイル端末が接続を確立する相手であるワイヤレスローカルエリアネットワーク・ホットスポットのためのサービスを提供するネットワークサーバである。
【００２５】
ステップ24:  ネットワークサーバは、WEB認証ページデータをモバイル端末へ返す。
【００２６】
ネットワークサーバからWEB認証ページデータを受信すると、モバイル端末は、WEB認証ページをユーザに表示する必要がないということに留意されたい。
【００２７】
ステップ25:  モバイル端末は、アクセスアカウントおよびアクセスパスワードを自動的に入手する。
【００２８】
モバイル端末は、ステップ21において格納されているアクセスアカウントおよびアクセスパスワードを自動的に入手し、それらのアクセスアカウントおよびアクセスパスワードは、そのモバイル端末に現在接続されているワイヤレスローカルエリアネットワーク・ホットスポットのSSIDに対応している。
【００２９】
ステップ26:  モバイル端末は、WEB認証要求をネットワークサーバへ自動的に送信し、そのWEB認証要求は、アクセスアカウントおよびアクセスパスワードを搬送する。
【００３０】
モバイル端末は、そのモバイル端末によって自動的に入手されているアクセスアカウントおよびアクセスパスワードをハイパーテキスト転送プロトコル(Hypertext Transfer Protocol, HTTP)データパケットのフォーマットでWEB認証要求内にカプセル化し、そのWEB認証要求をネットワークサーバへ送信する。したがって、モバイル端末がワイヤレスローカルエリアネットワークにアクセスするための認証プロセスにおいて、ユーザは、アカウントおよびパスワードを入力することなどのオペレーションを実行する必要はなく、モバイル端末がWEB認証インターフェースをユーザに表示する必要もなく、WEB認証インターフェースは、ネットワークサーバによって送信される。
【００３１】
ステップ27:  ネットワークサーバは、WEB認証要求を認証し、認証結果をモバイル端末へ返す。
【００３２】
ネットワークサーバは、アクセスアカウントおよびアクセスパスワードを認証する。アクセスアカウントおよびアクセスパスワードが正しい場合には、ネットワークサーバは、ネットワーク接続が成功している旨の認証結果をモバイル端末へ返し、アクセスアカウントおよびアクセスパスワードが正しくない場合には、ネットワークサーバは、ネットワーク接続が失敗している旨の認証結果をモバイル端末へ返す。
【００３３】
この実施形態においては、モバイル端末は、ワイヤレスローカルエリアネットワーク認証を実行するために静的認証方式を採用している。モバイル端末は、アクセスアカウントおよびアクセスパスワードを格納し、ワイヤレスローカルエリアネットワーク・ホットスポットへの接続を確立し、ネットワークサーバによって返されるWEB認証ページデータを受信するが、そのWEB認証ページデータをユーザに表示せず、次いでモバイル端末は、アクセスアカウントおよびアクセスパスワードを自動的に入手し、それらのアクセスアカウントおよびアクセスパスワードを搬送するWEB認証要求をネットワークサーバへ自動的に送信する。ネットワークサーバは、WEB認証要求を認証し、認証結果をモバイル端末へ返す。この実施形態を適用することによって、モバイル端末は、ワイヤレスローカルエリアネットワークの静的WEB認証を自動的に完了することができ、ユーザがアカウントおよびパスワードを入力する必要はなく、WEB認証インターフェースがユーザに表示される必要もなく、それによって、複雑な繰り返しの認証オペレーションが回避され、ユーザ経験が改善される。
【００３４】
実施形態3
図3を参照すると、本発明の実施形態3が、別のワイヤレスローカルエリアネットワーク認証方法を提供し、その方法は、動的認証方式を採用しており、下記のステップを含む。
【００３５】
ステップ31:  モバイル端末が、ローカル電話番号を格納する。
【００３６】
任意選択で、モバイル端末は、ワイヤレスローカルエリアネットワークアクセス認証を実行するために静的認証方式または動的認証方式を選択することができる。実施形態3においては、動的認証方式が選択されている。
【００３７】
任意選択で、モバイル端末は、ユーザの入力に従ってローカル電話番号およびSSIDを格納すること、たとえば、ユーザの入力に従ってSSIDを「ChinaNet」として、およびローカル電話番号を「18912345678」として格納することが可能であり、モバイル端末は、自分自身でローカル電話番号を読み取って格納することもできる。モバイル端末が、2枚のサブスクライバーアイデンティティーモジュールカードが挿入されることが可能であって2つのローカル電話番号を読み取ることができる端末である場合には、ユーザは、格納するためのローカル電話番号を選択する。
【００３８】
ステップ32:  モバイル端末は、ワイヤレスローカルエリアネットワーク・ホットスポットへの接続を確立する。
【００３９】
ステップ33:  モバイル端末は、ワイヤレスローカルエリアネットワークアクセス要求をネットワークサーバへ送信する。
【００４０】
ステップ34:  ネットワークサーバは、WEB認証ページデータをモバイル端末へ返す。
【００４１】
ステップ32からステップ34は、実施形態2におけるステップ22からステップ24と同様である。具体的な説明に関しては、実施形態2を参照されたい。ここでは、具体的な説明を繰り返さない。
【００４２】
ステップ35:  モバイル端末は、そのモバイル端末内に格納されているローカル電話番号「18912345678」を自動的に入手し、そのローカル電話番号「18912345678」を搬送する動的パスワード要求をネットワークサーバへ送信する。
【００４３】
その動的パスワード要求は、ローカル電話番号「18912345678」を搬送し、それによってネットワークサーバは、そのローカル電話番号「18912345678」に従って、動的パスワードを搬送するショートメッセージを、「18912345678」の番号のモバイル端末へ送信する。
【００４４】
ステップ36:  ネットワークサーバは、動的パスワードを搬送するショートメッセージをモバイル端末へ返す。
【００４５】
任意選択で、動的パスワードを搬送するショートメッセージは、動的パスワードおよび動的アカウントを搬送することができ、または動的パスワードのみを搬送して動的アカウントは搬送しないことも可能である。
【００４６】
ステップ37:  モバイル端末は、アクセスアカウントおよびアクセスパスワードを自動的に入手する。
【００４７】
任意選択で、ステップ36において受信されたショートメッセージが、動的アカウントも搬送している場合には、モバイル端末は、そのショートメッセージ内に含めて搬送されている動的アカウントを入手して、その動的アカウントをアクセスアカウントとして使用すること、およびそのショートメッセージ内に含めて搬送されている動的パスワードを入手して、その動的パスワードをアクセスパスワードとして使用することが可能であり、ステップ36において受信されたショートメッセージが、動的アカウントを搬送していない場合には、モバイル端末は、そのモバイル端末内に格納されているローカル電話番号を入手して、そのローカル電話番号をアクセスアカウントとして使用すること、およびそのショートメッセージ内に含めて搬送されている動的パスワードを入手して、その動的パスワードをアクセスパスワードとして使用することが可能である。
【００４８】
具体的には、モバイル端末は、送信番号またはテキストコンテンツを照合する方式で、動的パスワードを搬送しているショートメッセージを選別することができ、キーワードを照合する方式で、そのショートメッセージから動的アカウントまたは動的パスワードを入手することができる。たとえば、モバイル端末は、送信番号「10001」を照合する方式で、動的パスワードを搬送しているショートメッセージを選別し、特定の受信されたショートメッセージの発信番号が「10001」である場合には、モバイル端末は、そのショートメッセージが、動的パスワードを搬送しているショートメッセージであるとみなす。あるいは、モバイル端末は、「WLAN」、「Wifi」、「パスワード」などに類似したテキストを含むコンテンツを照合する方式で、動的パスワードを搬送しているショートメッセージを選別し、モバイル端末は、受信されたショートメッセージをスキャンし、特定のショートメッセージが、「WLAN」または「パスワード」などのテキストコンテンツを搬送している場合には、モバイル端末は、そのショートメッセージが、動的パスワードを搬送しているショートメッセージであるとみなす。次いでモバイル端末は、「アカウント」、「ユーザ名」、または「パスワード」などのキーワードを照合することによって、動的アカウントおよび動的パスワードを入手する。例として、次のショートメッセージを使用する。「ユーザ様へ、あなたの仮のWLANアクセスアカウントは31919236104、パスワードは807602で、6時間以内は有効です。」このケースにおいては、モバイル端末は、このショートメッセージをスキャンし、キーワード「アカウント」および「パスワード」を照合し、動的アカウントを「31919236104」と、および動的パスワードを「807602」と読み取る。ショートメッセージが、「ユーザ様へ、あなたの仮のWLANアクセスパスワードは807602で、6時間以内は有効です」であり、モバイル端末が、スキャニングおよび照合を通じて、動的パスワードを「807602」と読み取っているが、動的アカウントを読み取ることができない場合には、モバイル端末は、ステップ31において格納されているローカル電話番号「18912345678」を入手して、そのローカル電話番号「18912345678」をアクセスア
カウントとして使用する。この方法においては、モバイル端末は、アクセスアカウントおよびアクセスパスワードを自動的に入手することができ、それによってユーザは、ネットワークサーバからショートメッセージを読み取る必要はなく、ショートメッセージ内に含まれている動的パスワードまたは動的アカウントを入力するオペレーションを実行する必要もない。
【００４９】
ステップ38:  モバイル端末は、WEB認証要求をネットワークサーバへ自動的に送信し、そのWEB認証要求は、アクセスアカウントおよびアクセスパスワードを搬送する。
【００５０】
ステップ39:  ネットワークサーバは、WEB認証要求を認証し、認証結果をモバイル端末へ返す。
【００５１】
ステップ38およびステップ39は、実施形態2におけるステップ26からステップ27と同様である。具体的な説明に関しては、実施形態2を参照されたい。ここでは、具体的な説明を繰り返さない。
【００５２】
この実施形態においては、モバイル端末は、ワイヤレスローカルエリアネットワーク認証を実行するために動的認証方式を採用している。モバイル端末は、ローカル電話番号を格納し、ワイヤレスローカルエリアネットワーク・ホットスポットへの接続を確立し、ネットワークサーバは、WEB認証ページデータをモバイル端末へ返し、モバイル端末は、ローカル電話番号を搬送する動的パスワード要求をネットワークサーバへ送信し、ネットワークサーバは、動的パスワードを搬送するショートメッセージをモバイル端末へ返し、次いでモバイル端末は、アクセスアカウントおよびアクセスパスワードを自動的に入手し、それらのアクセスアカウントおよびアクセスパスワードを搬送するWEB認証要求をネットワークサーバへ自動的に送信し、ネットワークサーバは、そのWEB認証要求を認証し、認証結果をモバイル端末へ返す。この実施形態を適用することによって、モバイル端末は、ワイヤレスローカルエリアネットワークの動的WEB認証を自動的に完了することができ、ユーザは、ワイヤレスローカルエリアネットワークにアクセスする際に、ローカル電話番号、アクセスパスワード、またはアクセスアカウントを入力する必要はなく、WEB認証インターフェースがユーザに表示される必要もなく、ユーザは、動的パスワードを搬送するショートメッセージを読み取る必要はなく、それによって、複雑な繰り返しの認証オペレーションが回避され、ユーザ経験が改善される。
【００５３】
装置実施形態
実施形態4
図4を参照すると、本発明の一実施形態が、モバイル端末を提供し、そのモバイル端末は、次の構造、すなわち、
アカウント/パスワード入手装置41、WEB認証要求開始装置42、および入力/出力装置43を含むことができ、
アカウント/パスワード入手装置41は、アクセスアカウントおよびアクセスパスワードを自動的に入手して、それらのアクセスアカウントおよびアクセスパスワードをWEB認証要求開始装置42へ送信するように構成されており、
WEB認証要求開始装置42は、アクセスアカウントおよびアクセスパスワードを搬送するWEB認証要求を生成して、そのWEB認証要求を入力/出力装置43へ送信するように構成されており、
入力/出力装置43は、WEB認証要求をネットワークサーバへ送信するように構成されている。
【００５４】
入力/出力装置43は、具体的には、無線周波数チップ、信号送信/受信アンテナなどであることが可能である。
【００５５】
アクセスアカウントおよびアクセスパスワードとは、ワイヤレスローカルエリアネットワークにアクセスするためにネットワークサーバによって実行されるWEB認証を完了するためにモバイル端末によって使用されるアカウントおよびパスワードである。具体的には、モバイル端末は、ワイヤレスローカルエリアネットワークにアクセスする必要がある場合には、ワイヤレスローカルエリアネットワーク・ホットスポットへの接続を自動的に確立し、次いで、ワイヤレスローカルエリアネットワークアクセス要求をネットワークサーバへ送信し、ネットワークサーバによって返されるWEB認証ページデータを受信するが、WEB認証ページをユーザに表示しない。次いで、アカウント/パスワード入手装置41は、ワイヤレスローカルエリアネットワークのアクセスアカウントおよびアクセスパスワードを自動的に入手し、アカウント/パスワード入手装置41がワイヤレスローカルエリアネットワークのアクセスアカウントおよびアクセスパスワードを自動的に入手する際に、ユーザは、いかなるオペレーションも実行する必要はない。次いで、WEB認証要求開始装置42は、アカウント/パスワード入手装置41によって自動的に入手されているアクセスアカウントおよびアクセスパスワードをハイパーテキスト転送プロトコル(Hypertext Transfer Protocol, HTTP)データパケットのフォーマットでWEB認証要求内にカプセル化し、アクセスアカウントおよびアクセスパスワードを搬送するWEB認証要求を入力/出力装置43へ送信し、入力/出力装置43は、そのWEB認証要求をネットワークサーバへ送信し、ネットワークサーバは、アクセスアカウントおよびアクセスパスワードを認証する。
【００５６】
この実施形態においては、モバイル端末は、次の構造、すなわち、アカウント/パスワード入手装置41、WEB認証要求開始装置42、および入力/出力装置43を含み、アカウント/パスワード入手装置41は、アクセスアカウントおよびアクセスパスワードを自動的に入手し、WEB認証要求開始装置42は、アクセスアカウントおよびアクセスパスワードに従って、それらのアクセスアカウントおよびアクセスパスワードを搬送するWEB認証要求を生成し、そのWEB認証要求を、入力/出力装置43を使用することによってネットワークサーバへ送信し、ネットワークサーバは、認証を実行する。本発明のこの実施形態を適用することによって、モバイル端末は、ワイヤレスローカルエリアネットワークのWEB認証を自動的に完了することができ、ユーザがアカウントおよびパスワードを入力する必要はなく、WEB認証インターフェースがユーザに表示される必要もなく、それによって、複雑な繰り返しの認証オペレーションが回避され、ユーザ経験が改善される。
【００５７】
実施形態5
図5を参照すると、本発明の一実施形態が、モバイル端末を提供し、そのモバイル端末は、次の構造、すなわち、
アカウント/パスワード入手装置41、WEB認証要求開始装置42、および入力/出力装置43を含むことができ、
アカウント/パスワード入手装置41は、アクセスアカウントおよびアクセスパスワードを自動的に入手して、それらのアクセスアカウントおよびアクセスパスワードをWEB認証要求開始装置42へ送信するように構成されており、
WEB認証要求開始装置42は、アクセスアカウントおよびアクセスパスワードを搬送するWEB認証要求を生成して、そのWEB認証要求を入力/出力装置43へ送信するように構成されており、
入力/出力装置43は、WEB認証要求をネットワークサーバへ送信するように構成されている。
【００５８】
任意選択で、モバイル端末は、
アカウント/パスワード入手装置41および入力/出力装置43に接続されているメモリ44であって、アクセスアカウント、アクセスパスワード、またはローカル電話番号を格納するように構成されており、それによって、アカウント/パスワード入手装置41が、アクセスアカウントおよびアクセスパスワードを自動的に入手することができる、メモリ44をさらに含む。
【００５９】
任意選択で、メモリ44は、入力/出力デバイス43を使用することによるユーザの入力に従って、アクセスアカウント、アクセスパスワード、またはローカル電話番号を格納することができる。
【００６０】
メモリ44は、専用のメモリであることが可能であり、大容量を有するメモリ内のストレージスペースの一部であることが可能であり、またはセキュリティーデジタル(Security Digital, SD)カードなど、モバイル端末に接続されている外部メモリであることが可能である。
【００６１】
この実施形態においては、モバイル端末は、次の構造、すなわち、アカウント/パスワード入手装置41、WEB認証要求開始装置42、入力/出力装置43、およびメモリ44を含み、メモリ44は、アクセスアカウント、アクセスパスワード、またはローカル電話番号を格納し、それによって、アカウント/パスワード入手装置41は、アクセスアカウントおよびアクセスパスワードを自動的に入手し、WEB認証要求開始装置42は、アクセスアカウントおよびアクセスパスワードに従って、それらのアクセスアカウントおよびアクセスパスワードを搬送するWEB認証要求を生成し、そのWEB認証要求を、入力/出力装置43を使用することによってネットワークサーバへ送信し、ネットワークサーバは、認証を実行する。本発明のこの実施形態を適用することによって、モバイル端末は、ワイヤレスローカルエリアネットワークのWEB認証を自動的に完了することができ、ユーザがアカウントおよびパスワードを入力する必要はなく、WEB認証インターフェースがユーザに表示される必要もなく、それによって、複雑な繰り返しの認証オペレーションが回避され、ユーザ経験が改善される。
【００６２】
実施形態6
図6を参照すると、本発明の一実施形態が、モバイル端末を提供し、そのモバイル端末は、静的認証方式でワイヤレスローカルエリアネットワークにアクセスし、次の構造、すなわち、
アカウント/パスワード入手装置41、WEB認証要求開始装置42、および入力/出力装置43を含むことができ、
アカウント/パスワード入手装置41は、アクセスアカウントおよびアクセスパスワードを自動的に入手して、それらのアクセスアカウントおよびアクセスパスワードをWEB認証要求開始装置42へ送信するように構成されており、
WEB認証要求開始装置42は、アクセスアカウントおよびアクセスパスワードを搬送するWEB認証要求を生成して、そのWEB認証要求を入力/出力装置43へ送信するように構成されており、
入力/出力装置43は、WEB認証要求をネットワークサーバへ送信するように構成されている。
【００６３】
任意選択で、モバイル端末は、
アカウント/パスワード入手装置41および入力/出力装置43に接続されているメモリ44aであって、アクセスアカウントおよびアクセスパスワードを格納するように構成されており、それによって、アカウント/パスワード入手装置41が、アクセスアカウントおよびアクセスパスワードを自動的に入手することができる、メモリ44aをさらに含む。
【００６４】
メモリ44aは、入力/出力デバイス43を使用することによるユーザの入力に従って、アクセスアカウントおよびアクセスパスワードを格納する必要がある。
【００６５】
さらに、アカウント/パスワード入手装置41は、次の構造、すなわち、
第1のリーダ411および第1の送信機412を含むことができ、
第1のリーダ411は、メモリ44a内に格納されているアクセスアカウントおよびアクセスパスワードを入手して、それらを第1の送信機412へ送信するように構成されており、
第1の送信機412は、第1のリーダ411から受信されるアクセスアカウントおよびアクセスパスワードをWEB認証要求開始装置42へ送信するように構成されている。
【００６６】
具体的には、メモリ44aは、ユーザの入力に従ってアクセスアカウントおよびアクセスパスワードを格納し、また、ワイヤレスローカルエリアネットワーク・ホットスポットのSSIDを、たとえばユーザの入力に従って格納すること、ワイヤレスローカルエリアネットワーク・ホットスポットのSSIDを「ChinaNet」として格納すること、アクセスアカウントを「user」として格納すること、およびアクセスパスワードを「1234」として格納することも可能である。ここでは、アクセスアカウントおよびアクセスパスワードは、ユーザと通信事業者との間における交渉を通じて決定される。メモリ44aは、複数のSSIDと、それらの複数のSSIDに対応するアクセスアカウントおよびアクセスパスワードとを格納することができる。たとえば、メモリ44aは、中国電信および中国移動の両方のSSIDを格納することができる。中国電信および中国移動の両方のSSIDは、別々のアクセスアカウントおよびアクセスパスワードに対応しており、それによって、別のワイヤレスローカルエリアネットワーク・ホットスポットに接続される際に、モバイル端末は、そのワイヤレスローカルエリアネットワーク・ホットスポットのSSIDに対応するアクセスアカウントおよびアクセスパスワードを使用することによって認証を実行することができる。ワイヤレスローカルエリアネットワークがアクセスされる必要がある場合には、第1のリーダ411は、メモリ44a内に格納されているアクセスアカウントおよびアクセスパスワードを読み取り、それらのアクセスアカウントおよびアクセスパスワードを第1の送信機412へ送信し、第1の送信機412は、第1のリーダ411から受信されるアクセスアカウントおよびアクセスパスワードをWEB認証要求開始装置42へ送信し、WEB認証要求開始装置42は、それらのアクセスアカウントおよびアクセスパスワードをWEB認証要求内にカプセル化し、そのWEB認証要求を、入力/出力装置43を使用することによって、認証のためにネットワークサーバへ自動的に送信する。
【００６７】
この実施形態においては、モバイル端末は、静的認証方式でワイヤレスローカルエリアネットワークにアクセスし、次の構造、すなわち、アカウント/パスワード入手装置41、WEB認証要求開始装置42、入力/出力装置43、およびメモリ44aを含み、アカウント/パスワード入手装置41は、第1のリーダ411および第1の送信機412をさらに含み、メモリ44aは、アクセスアカウントまたはアクセスパスワードを格納し、第1のリーダ411は、メモリ44a内に格納されているアクセスアカウントおよびアクセスパスワードを入手して、それらを第1の送信機412へ送信し、第1の送信機412は、それらのアクセスアカウントおよびアクセスパスワードをWEB認証要求開始装置42へ送信し、WEB認証要求開始装置42は、アクセスアカウントおよびアクセスパスワードに従って、それらのアクセスアカウントおよびアクセスパスワードを搬送するWEB認証要求を生成し(そのWEB認証要求は、HTTPなどのデータプロトコルに基づくデータであることが可能である)、そのWEB認証要求を、入力/出力装置43を使用することによってネットワークサーバへ送信し、ネットワークサーバは、認証を実行する。本発明のこの実施形態を適用することによって、モバイル端末は、ワイヤレスローカルエリアネットワークのWEB認証を自動的に完了するためにアクセスアカウントおよびアクセスパスワードを事前に格納するだけでよく、それによって、アカウントおよびパスワードが繰り返し入力される必要がなくなり、WEB認証インターフェースがユーザに表示される必要もなく、それによって、複雑な繰り返しの認証オペレーションが回避され、ユーザ経験が改善される。
【００６８】
実施形態7
図7を参照すると、本発明の一実施形態が、モバイル端末を提供し、そのモバイル端末は、動的認証方式でワイヤレスローカルエリアネットワークにアクセスし、次の構造、すなわち、
アカウント/パスワード入手装置41、WEB認証要求開始装置42、および入力/出力装置43を含むことができ、
アカウント/パスワード入手装置41は、アクセスアカウントおよびアクセスパスワードを自動的に入手して、それらのアクセスアカウントおよびアクセスパスワードをWEB認証要求開始装置42へ送信するように構成されており、
WEB認証要求開始装置42は、アクセスアカウントおよびアクセスパスワードを搬送するWEB認証要求を生成して、そのWEB認証要求を入力/出力装置43へ送信するように構成されており、
入力/出力装置43は、WEB認証要求をネットワークサーバへ送信するように構成されている。
【００６９】
任意選択で、モバイル端末は、
アカウント/パスワード入手装置41および入力/出力装置43に接続されているメモリ44bであって、ローカル電話番号を格納するように構成されており、それによって、アカウント/パスワード入手装置41が、アクセスアカウントおよびアクセスパスワードを自動的に入手することができる、メモリ44bをさらに含む。
【００７０】
任意選択で、メモリ44bは、入力/出力デバイス43を使用することによるユーザの入力に従って、ローカル電話番号を格納することができる。
【００７１】
さらに、アカウント/パスワード入手装置41は、次の構造、すなわち、
第2のリーダ413、動的パスワードリクエスタ414、ショートメッセージデタミナ415、および第2の送信機416を含むことができ、
第2のリーダ413は、メモリ44b内に格納されているローカル電話番号を入手し、ショートメッセージデタミナ415によって特定される、動的パスワードを搬送しているショートメッセージから動的パスワードを入手して、その動的パスワードをアクセスパスワードとして使用し、入手されたローカル電話番号をアクセスアカウントとして使用すること、および、そのショートメッセージが動的アカウントをさらに搬送している場合には、動的パスワードを入手して、その動的パスワードをアクセスパスワードとして使用し、動的アカウントを入手して、その動的アカウントをアクセスアカウントとして使用することを行うように構成されており、
動的パスワードリクエスタ414は、第2のリーダ413からローカル電話番号を入手して、そのローカル電話番号を搬送する動的パスワード要求を、入力/出力装置43を使用することによってネットワークサーバへ送信するように構成されており、
ショートメッセージデタミナ415は、動的パスワードを搬送しているショートメッセージを、入力/出力装置43を使用することによって特定して、そのショートメッセージを第2のリーダ413へ送信するように構成されており、
第2の送信機416は、第2のリーダ413からアクセスアカウントおよびアクセスパスワードを入手して、それらのアクセスアカウントおよびアクセスパスワードをWEB認証要求開始装置42へ送信するように構成されている。
【００７２】
具体的には、第1のメモリ44bは、入力/出力装置43を使用することによるユーザの入力に従って、ローカル電話番号およびSSIDを格納する。次は、1つの例である。ユーザの入力に従って、SSIDが「ChinaNet」として格納され、ローカル電話番号が「18912345678」として格納される。モバイル端末がワイヤレスローカルエリアネットワークにアクセスする必要がある場合には、第2のリーダ413が、メモリ44b内に格納されているローカル電話番号「18912345678」を入手し、次いで動的パスワードリクエスタ414が、第2のリーダ413からのローカル電話番号「18912345678」を入手し、そのローカル電話番号「18912345678」を搬送する動的パスワード要求を、入力/出力装置43を使用することによってネットワークサーバへ送信し、ネットワークサーバは、動的パスワードを搬送するショートメッセージを、「18912345678」の番号のモバイル端末へ送信し、動的パスワードを搬送するショートメッセージは、動的パスワードおよび動的アカウントを搬送することができ、または動的パスワードのみを搬送して動的アカウントは搬送しないことも可能である。
【００７３】
具体的には、ショートメッセージデタミナ415は、動的パスワードを搬送しているショートメッセージを受信するために、送信番号またはテキストコンテンツを照合する方式で選別を実行することができる。たとえば、ショートメッセージデタミナ415は、送信番号「10001」を照合する方式で、動的パスワードを搬送しているショートメッセージを選別し、特定の受信されたショートメッセージの発信番号が「10001」である場合には、ショートメッセージデタミナ415は、そのショートメッセージが、動的パスワードを搬送しているショートメッセージであるとみなす。あるいは、ショートメッセージデタミナ415は、「WLAN」、「パスワード」などに類似したテキストを含むコンテンツを照合する方式で、動的パスワードを搬送しているショートメッセージを選別し、ショートメッセージデタミナ415は、入力/出力デバイスを使用することによって受信されるショートメッセージをスキャンし、特定のショートメッセージが、テキストコンテンツ、たとえば「WLAN」、「Wifi」、「パスワード」などを搬送している場合には、ショートメッセージデタミナ415は、そのショートメッセージが、動的パスワードを搬送しているショートメッセージであるとみなす。動的パスワードを搬送しているショートメッセージをショートメッセージデタミナ415から入手した後に、第2のリーダ413は、キーワードを照合する方式で、たとえば「アカウント」、「ユーザ名」、または「パスワード」を照合することによって、そのショートメッセージから動的アカウントまたは動的パスワードを入手することができる。例として、次のショートメッセージを使用する。「ユーザ様へ、あなたの仮のWLANアクセスアカウントは31919236104、パスワードは807602で、6時間以内は有効です。」このケースにおいては、第2のリーダ413は、このショートメッセージをスキャンし、キーワード「アカウント」および「パスワード」を照合し、動的アカウントを「31919236104」と、および動的パスワードを「807602」と読み取る。ショートメッセージが、「ユーザ様へ、あなたの仮のWLANアクセスパスワードは807602で、6時間以内は有効です」であり、第2のリーダ413が、スキャニングおよび照合によって、動的パスワードを「8
07602」と読み取っているが、動的アカウントを読み取ることができない場合には、第2のリーダ413は、ステップ31において格納されているローカル電話番号「18912345678」を入手して、そのローカル電話番号「18912345678」をアクセスアカウントとして使用する。この方法においては、モバイル端末は、アクセスアカウントおよびアクセスパスワードを自動的に入手することができ、それによってユーザは、ネットワークサーバからショートメッセージを読み取る必要はなく、ショートメッセージ内に含まれている動的パスワードまたは動的アカウントを入力するオペレーションを実行する必要もない。
【００７４】
次いで、第2の送信機416が、第2のリーダ413からアクセスアカウントおよびアクセスパスワードを入手し、それらのアクセスアカウントおよびアクセスパスワードをWEB認証要求開始装置42へ送信し、WEB認証要求開始装置42は、それらのアクセスアカウントおよびアクセスパスワードを、HTTPなどのデータプロトコルに基づくWEB認証要求内にカプセル化し、そのWEB認証要求を、入力/出力装置43を使用することによって、認証のためにネットワークサーバへ自動的に送信する。
【００７５】
この実施形態においては、モバイル端末は、動的認証方式でワイヤレスローカルエリアネットワークにアクセスし、次の構造、すなわち、アカウント/パスワード入手装置41、WEB認証要求開始装置42、入力/出力装置43、およびメモリ44bを含み、アカウント/パスワード入手装置41は、第2のリーダ413、動的パスワードリクエスタ414、ショートメッセージデタミナ415、および第2の送信機416をさらに含み、メモリ44bは、ローカル電話番号を格納し、第2のリーダ413は、メモリ44b内に格納されているローカル電話番号を読み取り、動的パスワードリクエスタ414は、第2のリーダ413からローカル電話番号を入手して、そのローカル電話番号を搬送する動的パスワード要求を、入力/出力装置43を使用することによってネットワークサーバへ送信し、次いでショートメッセージデタミナ415は、動的パスワードを搬送しているショートメッセージを、入力/出力装置43を使用することによって、ネットワークサーバから受信し、第2のリーダ413は、動的パスワードを搬送しているショートメッセージからアクセスアカウントおよびアクセスパスワードを入手し、第2の送信機416は、動的パスワードを搬送しているショートメッセージからアクセスアカウントおよびアクセスパスワードを入手して、それらのアクセスアカウントおよびアクセスパスワードをWEB認証要求開始装置42へ送信し、WEB認証要求開始装置42は、アクセスアカウントおよびアクセスパスワードに従って、それらのアクセスアカウントおよびアクセスパスワードを搬送するWEB認証要求を生成し、そのWEB認証要求を、入力/出力装置43を使用することによってネットワークサーバへ送信し、ネットワークサーバは、認証を実行する。この実施形態を適用することによって、モバイル端末は、ワイヤレスローカルエリアネットワークのWEB認証を自動的に完了するためにローカル電話番号を格納するだけでよく、それによって、ユーザがネットワークサーバからショートメッセージを読み取る必要がなくなり、アカウントおよびパスワードが繰り返し入力される必要はなく、WEB認証インターフェースがユーザに表示される必要はなく、それによって、複雑な繰り返しの認証オペレーションが回避され、ユーザ経験が改善される。
【００７６】
実施形態8
図8を参照すると、本発明の一実施形態が、モバイル端末を提供し、そのモバイル端末は、静的認証方式または動的認証方式でワイヤレスローカルエリアネットワークにアクセスすることができ、次の構造、すなわち、
アカウント/パスワード入手装置41、WEB認証要求開始装置42、および入力/出力装置43を含むことができ、
アカウント/パスワード入手装置41は、アクセスアカウントおよびアクセスパスワードを自動的に入手して、それらのアクセスアカウントおよびアクセスパスワードをWEB認証要求開始装置42へ送信するように構成されており、
WEB認証要求開始装置42は、アクセスアカウントおよびアクセスパスワードを搬送するWEB認証要求を生成して、そのWEB認証要求を入力/出力装置43へ送信するように構成されており、
入力/出力装置43は、WEB認証要求をネットワークサーバへ送信するように構成されている。
【００７７】
任意選択で、モバイル端末は、
アカウント/パスワード入手装置41および入力/出力装置43に接続されているメモリ44cであって、アクセスアカウント、アクセスパスワード、またはローカル電話番号を格納するように構成されており、それによって、アカウント/パスワード入手装置41が、アクセスアカウントおよびアクセスパスワードを自動的に入手することができる、メモリ44cをさらに含む。
【００７８】
任意選択で、メモリ44cは、入力/出力デバイス43を使用することによるユーザの入力に従って、アクセスアカウント、アクセスパスワード、またはローカル電話番号を格納することができる。
【００７９】
さらに、アカウント/パスワード入手装置41は、次の構造、すなわち、
第1のリーダ411、第1の送信機412、第2のリーダ413、動的パスワードリクエスタ414、ショートメッセージデタミナ415、および第2の送信機416を含むことができる。
【００８０】
それぞれの構造的コンポーネントの具体的な使用方法については、実施形態6および実施形態7を参照されたい。ここでは、それらについて繰り返さない。
【００８１】
この実施形態においては、モバイル端末は、静的認証方式または動的認証方式でワイヤレスローカルエリアネットワークにアクセスし、次の構造、すなわち、アカウント/パスワード入手装置41、WEB認証要求開始装置42、入力/出力装置43、およびメモリ44cを含み、アカウント/パスワード入手装置41は、第1のリーダ411、第1の送信機412、第2のリーダ413、動的パスワードリクエスタ414、ショートメッセージデタミナ415、および第2の送信機416をさらに含む。本発明のこの実施形態を適用することによって、モバイル端末は、ワイヤレスローカルエリアネットワークのWEB認証を自動的に完了するために、アクセスアカウント、アクセスパスワード、またはローカル電話番号を事前に格納するだけでよく、それによって、アカウントおよびパスワードが繰り返し入力される必要がなくなり、WEB認証インターフェースがユーザに表示される必要もなく、それによって、複雑な繰り返しの認証オペレーションが回避され、ユーザ経験が改善される。
【００８２】
本発明の装置実施形態4、5、6、7、および8におけるアカウント/パスワード入手装置41およびWEB認証要求開始装置42は、別々のハードウェアモジュールを使用することによってそれぞれ実装されることが可能であり、1つのマイクロプロセッサ内に統合されることが可能であり、またはメインチップ内に統合された機能モジュールであることが可能であるということに留意されたい。メモリ44、メモリ44a、メモリ44b、およびメモリ44cは、専用のメモリであることが可能であり、大容量を有するメモリ内のストレージスペースの一部であることが可能であり、またはセキュリティーデジタル(Security Digital, SD)カードなど、コアネットワークマネージメントエンティティーに接続されている外部メモリであることが可能である。
【００８３】
実施形態における端末の装置またはデバイスどうしは、実施形態の説明に従って実施形態のモバイル端末内に分配されることが可能であり、または実施形態におけるデバイスとは異なる1つまたは複数のデバイス内に配置されるようにしかるべく変更されることが可能であるということを当業者なら理解することができる。実施形態における上述の装置またはデバイスどうしは、結合されて1つの装置もしくはデバイスになることが可能であり、または複数のサブ装置もしくはサブデバイスへとさらに分割されることが可能である。
【００８４】
上述の実施形態においては、それぞれの実施形態の説明は、別々の強調点を有しており、ある実施形態において詳述されていない部分に関しては、別の実施形態の関連する説明を参照されたい。
【００８５】
添付の図面は、例示的な実施形態の図にすぎず、添付の図面における装置、デバイス、またはプロセスは、本発明を実施する上で必ずしも必須ではないということを当業者なら理解することができる。
【００８６】
本発明は、ソフトウェアと、必要な汎用のハードウェアプラットフォームとによって実装されることが可能であり、もちろんハードウェアによって実装されることも可能であるということを当業者なら、実施形態の上述の説明を通じて明確に理解することができる。しかしながら、ほとんどの状況のもとでは、前者が、好ましい実装方式である。そのような理解に基づいて、本発明の技術的なソリューションは基本的に、または従来技術に寄与する部分は、ソフトウェアの形態で実装されることが可能である。そのコンピュータソフトウェアは、読み取り可能なストレージメディア、たとえば、コンピュータのフロッピー（登録商標）ディスク、ハードディスク、または光学ディスク内に格納され、本発明の実施形態において説明されている方法を実行するようコンピュータデバイス(それは、パーソナルコンピュータ、サーバ、またはネットワークデバイスであることが可能である)に指示するためのいくつかの命令を含む。
【００８７】
上述の実施形態は、本発明を限定することではなく、本発明の技術的なソリューションを説明することを意図されているにすぎない。本発明については、上述の実施形態を参照しながら詳細に説明しているが、当技術分野における標準的な技術者なら、それでもなお、上述の実施形態において説明されている技術的なソリューションに対する修正形態を作成すること、またはそれらのいくつかの技術的な特徴に対する均等な代替形態を作成することが可能であり、その一方で、これらの修正形態または代替形態は、対応する技術的なソリューションの本質を本発明の実施形態における技術的なソリューションの範囲から逸脱させるものではないということを、当技術分野における標準的な技術者なら理解するはずである。
【符号の説明】
【００８８】
41  アカウント/パスワード入手装置
42  WEB認証要求開始装置
43  入力/出力装置
44  メモリ
44a  メモリ
44b  メモリ
44c  メモリ
411  第1のリーダ
412  第1の送信機
413  第2のリーダ
414  動的パスワードリクエスタ
415  ショートメッセージデタミナ
416  第2の送信機
【図１】
0005897137.tif 000002
【図２】
0005897137.tif 000003
【図３】
0005897137.tif 000004
【図４】
0005897137.tif 000005
【図５】
0005897137.tif 000006
【図６】
0005897137.tif 000007
【図７】
0005897137.tif 000008
【図８】
0005897137.tif 000009